(57)【要約】【課題】  決定された白色点の情報を記憶し、記憶された白色点の間のみを動作する。【解決手段】  本発明の撮像方法は、自動または手動で２点以上の白色点を決定するステップと（ステップＳ１−２、Ｓ１−３、Ｓ１−４）、上記決定された２点以上の白色点を記憶するステップと（ステップＳ５、Ｓ８、Ｓ１３）、上記記憶された２点以上の白色点間を白色点調整範囲として手動または自動での白色点の調整を行うステップ（ステップＳ２３）とを備えているものである。【選択図】        図３
2006074401.tif 000002
【特許請求の範囲】
【請求項１】
撮像手段で撮像された画像信号のうちの色信号を可変することにより画像の白色点を変更できるホワイトバランス機能を有する撮像装置における撮像方法において、
自動または手動で２点以上の白色点を決定するステップと、
上記決定された２点以上の白色点を記憶するステップと、
上記記憶された２点以上の白色点間を白色点調整範囲として手動または自動での白色点の調整を行うステップと
を備えていることを特徴とする撮像方法。
【請求項２】
撮像手段で撮像された画像信号のうちの色信号を可変することにより画像の白色点を変更できるホワイトバランス機能を有する撮像装置における撮像方法において、
自動または手動で２点以上の白色点を決定するステップと、
上記決定された２点以上の白色点を記憶するステップと、
上記記憶された２点以上の白色点間を自動的に遷移させるステップと
を備えていることを特徴とする撮像方法。
【請求項３】
請求項２に記載の撮像方法において、
上記白色点の自動遷移を、上記記憶された２点以上の白色点の間でその距離に関わらず任意に指定された時間で行うステップを設けたことを特徴とする撮像方法。
【請求項４】
請求項２に記載の撮像方法において、
上記白色点の自動遷移を、ユーザーが任意に選択した遷移特性に基づき、遷移速度を滑らかに変化させながら、２点間の遷移を行うステップを設けたことを特徴とする撮像方法。
【請求項５】
ズームを制御するための手段と
２点以上の、ズーム位置を記憶するための記憶装置と
上記記憶装置にズーム位置を記憶するための決定手段を有し、
上記決定手段により２点以上のズーム位置を記憶し、
ズームを遷移させることにより遷移を行うステップを設けたことを特徴とする撮像方法。
【請求項６】
請求項５に記載の撮像方法において、
上記ズーム位置の自動遷移は、ズームとフォーカスを遷移させるものであって、ズームの位置が変化するのに応じてフォーカスの始点・終点の位置をその都度計算し、その間を内分して遷移を行うステップを設けたことを特徴とする撮像方法。
【請求項７】
請求項５に記載の撮像方法において、
上記ズーム位置の自動遷移を、上記記憶された２点以上のズーム位置の間でその距離に関わらず任意に指定された時間で行うステップを設けたことを特徴とする撮像方法。
【請求項８】
請求項５に記載の撮像方法において、
上記ズーム位置の自動遷移を、ユーザーが任意に選択した遷移特性に基づき、遷移速度を滑らかに変化させながら、２点間の遷移を行うステップを設けたことを特徴とする撮像方法。
【請求項９】
２点以上のカメラ撮像方向及び範囲を記憶し、その２点間を自動的に遷移させるステップを設けたことを特徴とする撮像方法。
【請求項１０】
請求項９に記載の撮像方法において、
上記カメラ撮像方向及び範囲の自動遷移は、撮像装置自体を動かすことにより遷移させるステップを設けたことを特徴とする撮像方法。
【請求項１１】
請求項９に記載の撮像方法において、
上記カメラ撮像方向及び範囲の自動遷移は、撮像装置の光学系の一部を動かし、光軸中心の偏芯を利用することにより遷移させるステップを設けたことを特徴とする撮像方法。
【請求項１２】
請求項９に記載の撮像方法において、
上記カメラ撮像方向及び範囲の自動遷移は、撮像手段上の一部分を切り出すことによる、撮像範囲移動を利用することにより遷移させるステップを設けたことを特徴とする撮像方法。
【請求項１３】
請求項９に記載の撮像方法において、
上記カメラ撮像方向及び範囲の自動遷移を、上記記憶された２点以上のカメラ撮像方向及び範囲の間でその距離に関わらず任意に指定された時間で行うステップを設けたことを特徴とする撮像方法。
【請求項１４】
請求項９に記載の撮像方法において、
上記カメラ撮像方向及び範囲の自動遷移を、ユーザーが任意に選択した遷移特性に基づき、遷移速度を滑らかに変化させながら、２点間の遷移を行うステップを設けたことを特徴とする撮像方法。
【請求項１５】
撮像手段で撮像された画像信号のうちの色信号を可変することにより画像の色再現を調整できる色調整機能を有する撮像装置における撮像方法において、
自動または手動で２点以上の色調整設定を決定するステップと、
上記決定された２点以上の色調整設定を記憶するステップと、
上記記憶された色調整設定間を色調整範囲として手動または自動での色調整を行うステップと
を備えていることを特徴とする撮像方法。
【請求項１６】
撮像手段で撮像された画像信号のうちの色信号を可変することにより画像の色再現を調整できる色調整機能を有する撮像装置における撮像方法において、
自動または手動で２点以上の色調整設定を決定するステップと、
上記決定された２点以上の色調整設定を記憶するステップと、
上記記憶された２点以上の色調整設定間を自動的に遷移させるステップと
を備えていることを特徴とする撮像方法。
【請求項１７】
請求項１５に記載の撮像方法において、
上記色調整設定の自動遷移を、上記記憶された２点以上の色調整設定の間でその距離に関わらず任意に指定された時間で行うステップを設けたことを特徴とする撮像方法。
【請求項１８】
請求項１５に記載の撮像方法において、
上記色調整設定の自動遷移を、ユーザーが任意に選択した遷移特性に基づき、遷移速度を滑らかに変化させながら、２点間の遷移を行うステップを設けたことを特徴とする撮像方法。
【請求項１９】
撮像手段で撮像された画像信号のうちの色信号を可変することにより画像の白色点の輝度を変更できるホワイトバランス機能により自動または手動で決定された２点以上の白色点を記憶し、上記記憶された２点以上の白色点間を白色点調整範囲として手動または自動での白色点の調整を行う白色点調整手段と、
上記記憶された２点以上の白色点間を自動的に遷移させる白色点間遷移手段と、
撮像手段で撮像された画像信号のうちの色信号を可変することにより画像の色再現を調整できる色調整機能により自動または手動で決定された２点以上の色調整設定を記憶し、上記記憶された色調整設定間を色調整範囲として手動または自動での色調整を行う色調整手段と、
上記記憶された２点以上の色調整設定間を自動的に遷移させる色調整設定間遷移手段と、
ズームを制御するための手段により２点以上のズーム位置を記憶し、
上記記憶されたズーム位置間をズーム動作範囲として手動または自動でのズームを行う手段と、
上記記憶された２点以上のズーム位置間を自動的に遷移させる手段と、
カメラ撮像方向及び範囲を制御する手段により２点以上のカメラ撮像方向及び範囲を記憶し、上記記憶されたカメラ撮像方向及び範囲間を動作範囲として手動または自動でのカメラ撮像方向及び範囲制御を行う手段と、
上記記憶された２点以上のカメラ撮像方向及び範囲間を自動的に遷移させる手段と、
を備えていることを特徴とする撮像装置。
【請求項２０】
請求項１９に記載の撮像装置において、
上記白色点及び色調整設定及びズーム設定及びカメラ撮像方向及びカメラ撮像範囲の自動遷移に用いる、ユーザーが任意に選択可能な遷移特性及び２点以上のカメラ撮像方向及び範囲を記憶する記憶手段を設けた
ことを特徴とする撮像装置。
【発明の詳細な説明】
【技術分野】
【０００１】
本発明は、ホワイトバランス機能、色調整機能、ズーム設定、カメラ撮像方向及びカメラ撮像範囲の可変機能を備えた撮像方法及び撮像装置に関するものである。
【背景技術】
【０００２】
例えば民生用のビデオカメラにおいて、被写体を撮像する場合には、一般的にオートホワイトバランス機能を用いて撮影環境の光源に対して白色点が合うように撮像を行うようにしていた。
【０００３】
ところが、例えば室内撮影において窓越しに屋外被写体を含む画像などのように、画面内に光源の異なる複数の被写体が存在した場合にはオートホワイトバランス機能を用いたままでは特定の光源（屋内または屋外）のみにしか白色点を合わせることが出来ず、良好な撮像を行うことが出来なかった。
【０００４】
また、特許文献１では、２点間の遷移を一定速度でしか実行できないため、例えば「遷移終了直前滑らかに減速しながら遷移を止める」などの撮影時に有効な動作を行うことが不可能である。
【０００５】
また、特許文献１では、ズームの遷移を加えた場合、インナーフォーカスレンズにおいてフォーカスの遷移を始点から終点の単純な直線補間にすると、意図したフォーカスの遷移とならないし、前述した遷移とともに撮影方向／範囲を自動的に変えることができない。
【特許文献１】特開２００２−１３９６６５号公報
【発明の開示】
【発明が解決しようとする課題】
【０００６】
そこでこのような被写体の撮像を行う場合には、手動で目的の被写体に白色点をあわせることになるが、上述のように画面内に光源の異なる複数の被写体が存在する環境ではそれらの被写体間で白色点を移動させる操作は、手動による白色点の切り換え操作となり、切り換え部分で白色点が不連続であるため滑らかさを欠いた画像となってしまうという不都合があった。
【０００７】
従って、本発明は、このような点に鑑みて成されたものであって、決定された白色点の情報を記憶し、記憶された白色点の間のみを動作するようにすることを課題とするものである。
【０００８】
また、色再現においても白色点と同様に被写体の光源にあわせて最適化がなされているため、白色点と同様の処理を行うことで良好な撮像を行うようにすることを課題とするものである。
【課題を解決するための手段】
【０００９】
上記課題を解決し、本発明の目的を達成するため、本発明の撮像方法は、自動または手動で２点以上の白色点を決定するステップと、上記決定された２点以上の白色点を記憶するステップと、上記記憶された２点以上の白色点間を白色点調整範囲として手動または自動での白色点の調整を行うステップとを備えているものである。
【００１０】
これにより、自動または手動で決定された２点以上の白色点間をホワイトバランス調整の白色点調整範囲とすることにより、白色点の調整を滑らかにすることができる。
【００１１】
またさらに、本発明の撮像方法は、自動または手動で２点以上の白色点を決定するステップと、上記決定された２点以上の白色点を記憶するステップと、上記記憶された２点以上の白色点間を自動的に遷移させるステップとを備えているものである。
【００１２】
これにより、自動または手動で決定された２点以上の白色点間で自動的に遷移させることにより、白色点の遷移を滑らかにすることができる。
【００１３】
また、本発明の撮像方法は、自動または手動で２点以上の色調整設定を決定するステップと、上記決定された２点以上の色調整設定を記憶するステップと、上記記憶された色調整設定間を色調整範囲として手動または自動での色調整を行うステップとを備えているものである。
【００１４】
これにより、自動または手動で決定された２点以上の色調整設定間を色調整の調整範囲とすることにより、色調整を滑らかにすることができる。
【００１５】
また、本発明の撮像方法は、自動または手動で２点以上の色調整設定を決定するステップと、上記決定された２点以上の色調整設定を記憶するステップと、上記記憶された２点以上の色調整設定間を自動的に遷移させるステップとを備えているものである。
【００１６】
これにより、自動または手動で決定された２点以上の色調整設定間で自動的に遷移させることにより、色調整の遷移を滑らかにすることができる。
【００１７】
また、本発明の撮像装置は、撮像手段で撮像された画像信号のうちの色信号を可変することにより画像の白色点を変更できるホワイトバランス機能により自動または手動で決定された２点以上の白色点を記憶し、上記記憶された２点以上の白色点間を白色点調整範囲として手動または自動での白色点の調整を行う白色点調整手段と、上記記憶された２点以上の白色点間を自動的に遷移させる白色点間遷移手段と、撮像手段で撮像された画像信号のうちの色信号を可変することにより画像の色再現を調整できる色調整機能により自動または手動で決定された２点以上の色調整設定を記憶し、上記記憶された色調整設定間を色調整範囲として手動または自動での色調整を行う色調整手段と、上記記憶された２点以上の色調整設定間を自動的に遷移させる色調整設定間遷移手段とを備えているものである。
【００１８】
これにより、自動または手動で決定された２点以上の白色点間をホワイトバランス調整の白色点調整範囲として、白色点の調整を滑らかにすると共に白色点の遷移を滑らかにすることができる。
【００１９】
また、自動または手動で決定された２点以上の色調整設定間を色調整の調整範囲として、色調整を滑らかにすると共に色調整の遷移を滑らかにすることができる。
【発明の効果】
【００２０】
本発明によれば、決定された白色点の情報を記憶し、記憶された白色点間のみをホワイトバランス調整の範囲とすることで白色点の自動遷移を良好に行うことができる。
【００２１】
また、白色点の調整を記憶させた２点以上の間で自動的に遷移させることによって白色点遷移が自動的に行われるので極めて滑らかな遷移になり良好な撮像を行うことができる。
【００２２】
また、決定された色再現の情報を記憶し、記憶された色再現間のみを動作の範囲とすることで色再現の自動遷移を良好に行うことができる。
【００２３】
また、色再現を記憶させた２点以上の間で自動的に遷移させることによって色再現遷移が自動的に行われるので極めて滑らかな遷移になり良好な撮像を行うことができる。
【００２４】
また、色再現を利用した画像効果（モノトーン画像やネガ画像など）に対して本処理を行うことで、通常色再現を含めたそれぞれの画像効果間を滑らかに遷移させることができ、良好な撮像を行うことができる。
【００２５】
また、ユーザーが任意に選択した遷移カーブに基づき、遷移速度を滑らかに変化させながら、２点間の遷移を行う事により、例えば「遷移終了直前滑らかに減速しながら遷移を止める」、「遷移開始直後滑らかに加速し、途中一定速度を保ち、終了直前滑らかに減速しながら遷移を止める」などの撮影時に有効な動作を行うことができる。
【００２６】
また、インナーフォーカスレンズにおいてズームとフォーカスを同時に遷移させたときに、ズームによる画角の変化と、フォーカスが始点の距離から終点の距離へ徐々に変化させることを同時に行うことができる。
【００２７】
また、撮影方向及び範囲を、前述した遷移とともに自動的に遷移させることができる。
【発明を実施するための最良の形態】
【００２８】
本発明における撮像装置の例を図１に示す。
図１は、本発明に係る撮像装置における主要部の構成を簡略化して示したブロック図であり、光学系のズームレンズ１、アイリス２、フォーカスレンズ３、撮像素子４、タイミングジェネレータ(TG)５、Ｓ／Ｈ（Sample/Hold）６、ＡＧＣ（Automatic Gain Control）回路７、Ａ／Ｄ（Analog/Digital）変換回路８、信号処理ブロック９のホワイトバランスアンプ１０（以下ＷＢアンプ）、γ補正回路１１、色再現マトリクス１２、アパーチャー回路１３、オートフォーカス用ディテクター１７、自動露出（ＡＥ）用ディテクター１８、カメラ制御マイコン（マイクロコンピュータ）１９、記録媒体１４、LCD（Liquid Crystal Display）ディスプレイ１５、VOUT(ビデオアウトプット）１６などを備えている。
【００２９】
撮像素子２は、光を電気信号に変換する素子（画素）が配列されたＣＣＤ（Charge Coupled Device）などであり、撮像レンズ１を通過してくる光が結像して生成される画像を電気信号に変換し、アナログ信号としてＳ／Ｈ、ＡＧＣ回路３に送出する。
【００３０】
Ｓ／Ｈ、ＡＧＣ回路３は、撮像素子２から送られてくるアナログ信号をサンプリングおよび増幅して、Ａ／Ｄ変換回路４へ送出する。
【００３１】
Ａ／Ｄ変換回路４は、Ｓ／Ｈ、ＡＧＣ回路３で増幅されたアナログ信号をデジタルの画像信号（以下、色信号（Ｒ信号［赤］,Ｇ信号［緑］,Ｂ信号［青］））に変換してＷＢアンプ５へ送出する。
【００３２】
ＷＢアンプ５は、各色信号のレベルを個別に増幅するＲアンプ,Ｇアンプ,Ｂアンプから構成され、カメラコントローラ６により調整されるゲイン値に従って、Ａ／Ｄ変換回路４から送られてくる色信号（Ｒ信号［赤］,Ｇ信号［緑］,Ｂ信号［青］）を所定のレベルに増幅して次段回路へ出力する。
【００３３】
オートフォーカス用ディテクター１７は、オートフォーカス用に輝度信号の高周波成分を検出するディテクターである。
【００３４】
自動露出（ＡＥ）用ディテクター１８は、自動露出（ＡＥ）、オートホワイトバランス制御を行うために、輝度、色情報を検出するディテクターである。
【００３５】
カメラ制御マイコン１９は、オートホワイトバランス動作の時は白色画像に対してＡ／Ｄ変換回路４から送られてくる各色信号（Ｒ信号［赤］,Ｇ信号［緑］,Ｂ信号［青］）のレベルが等しくなるように、ＷＢアンプ１０のＲアンプ,Ｇアンプ,Ｂアンプそれぞれのゲイン値を調整する。
【００３６】
カメラ制御マイコン１９は、ユーザによる所定の設定操作（例えば、メニュー画面による選択操作など）２０に応じて、ＷＢアンプ１０の各アンプ（Ｒアンプ,Ｇアンプ,Ｂアンプ）のゲイン値を設定する機能も持つ。
【００３７】
ホワイトバランス調整された各色信号はγ補正回路１１により出力信号レベル内に収まるようにγ処理され、色再現マトリクス回路１２に送られる。
【００３８】
色再現マトリクス回路１２では、ＲＧＢ信号から演算によってＲ−Ｙ,Ｂ−Ｙの色信号に変換され、アパーチャー回路１３で輝度信号(Y)の輪郭強調が施された後に記録媒体１４に記録される。
【００３９】
色再現マトリクス回路１２における演算処理の一例として以下の数１式で示すようなものがある。
【００４０】
（数１）
┏      ┓    ┏          ┓┏      ┓
┃Ｒ−Ｙ┃    ┃Ｋ１  Ｋ２┃┃Ｒ−Ｇ┃
┃Ｂ−Ｙ┃ ＝ ┃Ｋ３  Ｋ４┃┃Ｂ−Ｇ┃
┗      ┛    ┗          ┛┗      ┛
【００４１】
この、色再現マトリクス回路１２内の演算係数Ｋ１〜Ｋ４を変えることによって色再現調整を行うことができる。
【００４２】
図２に制御マイコンの遷移カーブ変換を実現するための機能ブロック図を示す。
図２は、カメラ制御マイコン１９の内部の機能を示すものである。
図２において、メモリ／実行モード切りかえ部３１は、ユーザーの操作により制御値を記憶する「メモリ」 ポジションと制御値間を遷移させる「実行」ポジションを切り替える。
【００４３】
また、制御値記憶ポジションＡボタン３７は、上述したメモリ／実行モード切りかえ部３１が「メモリ」モードに選択時はこのボタンを押下することにより、メモリーポジションＡを記憶する。また、上述したメモリ／実行モード切りかえ部３１が「実行」モード選択時には、このボタンを押下することによりメモリーポジションＡの制御値へ遷移する動作をする。
【００４４】
また、制御値記憶ポジションＢボタン３８は、上述したメモリ／実行モード切りかえ部３１が「メモリ」モードに選択時はこのボタンを押下することにより、メモリーポジションＢを記憶する、また、上述したメモリ／実行モード切りかえ部３１が「実行」モード選択時には、このボタンを押下することによりメモリーポジションＢの制御値へ遷移する動作をする。
【００４５】
また、遷移カーブ切り替えスイッチ３９は、上述したメモリ／実行モード切りかえ部３１が「実行」モードを選択時における上述した制御値記憶ポジションＡボタンまたは上述した制御値記憶ポジションＢボタンを押下して制御値を遷移させる場合の遷移カーブをユーザーにより選択する入力手段である。
【００４６】
また、マニュアルフォーカスリング４０は、このリングを回すことにより、マニュアルフォーカス時にマニュアルでフォーカスレンズ３を操作できる。
また、ズームリング４１は、このリングを回すことによりズームレンズ１を操作できる。
【００４７】
また、送り制御部４２は、上述したメモリ／実行モード切りかえ部３１が「実行」モード選択時に各制御値補間用のカウンターを回すブロックである。
【００４８】
また、遷移カーブ変換部４３は、上述した遷移カーブ切り替えスイッチ３９がカーブ１またはカーブ２に選択時に上述した送り制御部４２で発生させたカウンターに対して４５，４６で示す特性の異なるROM（Read Only Memory）テーブルのうちカーブ選択部４４により選択されたROMテーブルを用い直線遷移からカーブによる遷移に補正を加えるブロックである。上述した遷移カーブ切り替えスイッチ３９が「リニア」に選択された場合は、遷移カーブ変換部４３での補正は行わない。４５，４６で示す特性の異なるROMテーブルは、あらかじめROM内に設けた複数種類の遷移カーブテーブルである。
【００４９】
また、パン／チルト入力部４７は、ユーザーによりパン／チルトの量を設定する入力装置である。
【００５０】
また、露出制御目標値計算部２１は、上述したメモリ／実行モード切りかえ部３１が「メモリ」モード選択時に自動露出（ＡＥ）用ディテクター１８からのデータによりＡＥ（自動露光制御）のための計算を行っている。露出制御補間部２２は、上述したメモリ／実行モード切りかえ部３１が「実行」モード選択時に後述する遷移カーブによって露出制御値間の補間を行う。
【００５１】
また、ホワイトバランス制御目標値計算部２３は、上述したメモリ／実行モード切りかえ部３１が「メモリ」モード選択時に自動露出（ＡＥ）用ディテクター１８からのデータによりオートホワイトバランス等のためのＷＢアンプ１０の制御値計算を行う。ホワイトバランス制御補間部２４は、上述したメモリ／実行モード切りかえ部３１が「実行」モード選択時に後述する遷移カーブによってWBアンプ１０制御値間の補間を行う。
【００５２】
また、色再現目標値計算部２５は、上述したメモリ／実行モード切りかえ部３１が「メモリ」モード選択時に色再現マトリクスの設定値の計算を行う。また、色再現制御補間部２６は、上述したメモリ／実行モード切りかえ部３１が「実行」モード選択時に後述する遷移カーブによって色再現マトリクス制御値間の補間を行う。
【００５３】
また、レンズ制御目標計算部２７は、上述したメモリ／実行モード切りかえ部３１が「メモリ」モード選択時にオートフォーカス用ディテクター１７からの検波データに従ってオートフォーカスの制御計算を行う。また、フォーカスリング４０の操作によりマニュアルフォーカス計算を行う。また、ズームリング４１の操作によりズーム制御量計算、フォーカス制御補正計算を行う。また、レンズ制御補間部２８は、上述したメモリ／実行モード切りかえ部３１が「実行」モード選択時に後述する遷移カーブによってズーム、フォーカスレンズの制御値間の補間を行う。
【００５４】
また、パン／チルト制御目標計算部２９は、上述したメモリ／実行モード切りかえ部３１が「メモリ」モード選択時にパン／チルト入力用のコントローラ入力４７により パン／チルト制御量を演算する。パン／チルト制御補間部３０は、上述したメモリ／実行モード切りかえ部３１が「実行」モード選択時に後述する遷移カーブによるパン／チルト駆動制御値の制御量補間を行う。
【００５５】
また、露出制御駆動指示部３２は、アイリス／電子シャッター／ゲインを制御値から実駆動値へ変換して、アイリス２／TG５／AGC７に設定のためのコントロール信号を出す。
【００５６】
また、ホワイトバランス設定指示部３３は、ホワイトバランス制御値からWBアンプ１０の設定値に変換してＷＢアンプ１０を設定する。
【００５７】
また、色再現マトリクス設定指示部３４は、色再現マトリクス１２に値を設定する。
また、レンズ駆動指示部３５は、フォーカス、ズーム制御値からフォーカスレンズ３、ズームレンズ１それぞれのモーターへの駆動指示を出力する。
【００５８】
また、パン／チルト駆動指示部３６は、パン／チルト制御値よりパン／チルト駆動アクチュエータへの駆動信号を出す。
【００５９】
図３にホワイトバランス遷移処理の動作を示すフローチャートを示す。
図３において、状態の初期値（ステップＳ１）は”送りパターンの指定”である（ステップＳ１−１）。ステップＳ２はユーザーによる送りパターンの選択処理である。以降送りパターンは”２点間送り”、”３点間送り”、”手動送り”の３パターンをとりうるものを例として説明するが、停止位置を更に増やした物などそれ以外のパターンをとりうるようにも容易に設計できる。また選択の手段は例えば、ボタンを押すごとにトグルするもの、メニュー形式からの選択、１対１に対応したボタンの押下などによって行われる。ステップＳ２で決定ボタンの押下を検出されると（ステップＳ３）、状態は”A点の指定”となる（ステップＳ４）。
【００６０】
”A点指定”の状態で（ステップＳ１−２）、ユーザーは１つ目の白色点をあわせたい被写体（光源）に白色点を合わせる（ステップＳ５）。ステップＳ５は繰り返し呼ばれるため、決定ボタンの押下を検出されると（ステップＳ６）、毎回その時点の白色点位置が上書きされ、ステップＳ７で次の状態に遷移した時点の値が保持される。現在の白色点位置を与える手段は任意でよく、例えばマニュアルホワイトバランスで指定する方法や、対象となる被写体付近をオートホワイトバランスによって撮像することによって得られる白色点位置を記憶する白色点制御目標としてもよい。
【００６１】
”A点指定”と同様に、”B点指定”の状態で（ステップＳ１−３）、ユーザーは２つ目の白色点をあわせたい被写体（光源）に白色点を合わせる（ステップＳ８）。決定ボタンの押下が検出されると（ステップＳ９）、ステップＳ１０で”３点送り”を選択した場合は”C点指定” （ステップＳ１１）、それ以外は”遷移時間指定” （ステップＳ１２）へ状態が変化する。
【００６２】
A点、B点指定と同様に、”C点指定”の状態で（ステップＳ１−４）、ユーザーは３つ目の白色点をあわせたい被写体（光源）に白色点を合わる（ステップＳ１３）。決定ボタンの押下が検出されると（ステップＳ１４）、状態は”遷移時間指定”へ変化する（ステップＳ１５）。
【００６３】
”遷移時間指定” （ステップＳ１−５）で指定した白色点間をどれだけの時間で遷移するかを決定する。実際には遷移時間の逆数に比例した遷移量を計算する（ステップＳ１８）。遷移時間の指定は、例えば値を増減に対応するボタンを押すことで行うなどの方法がある。また送りパターンに”手動送り”が選択されている場合（ステップＳ１６）は遷移量はユーザーがダイアル等の操作手段をまわした方向、および量に基づいて、決定ボタンの押下により決定されるので（ステップＳ１９）、この遷移時間の指定状態に入ると、目標到達フラグをリセットすると共に（ステップＳ２０）、遷移位置をリセットして（ステップＳ２１）、すぐに次の”実行中” （ステップＳ１７、２２）の状態へ移行する。
【００６４】
状態が”実行中”になると（ステップＳ１−６）、白色点位置を、指定した白色点間で遷移させるホワイトバランス遷移実行の処理が行われる（ステップＳ２３）。
【００６５】
色再現についても白色点を色再現マトリクス演算係数と置き換えるだけで全く同様の処理とすることが出来る。
【００６６】
図４にズームとフォーカスを同時に遷移させた場合の動作を示す。
上述した図２中の遷移カーブ変換ブロック４３にて、図４のように開始点５１から終了点５２への遷移を一定速度で実行するリニアな制御目標指示値５６を、これではフォーカスが意図した動きにならないため、５３，５４，５５で示すような任意のカーブを描く曲線上の制御目標指示値に変換する。この変換方法は例えば、図４のリニア制御目標値のサンプリング点と任意のカーブ制御目標値のサンプリング点に基づいて、以下の変換式によって行うことができる。
【００６７】
ここで、Lを合焦距離(又は合焦距離と相互に変換可能な指標)としたとき
ズームレンズ位置Zm、フォーカスレンズ位置Fcから合焦距離Lを求める関数を以下の数２式で定義する。
【００６８】
（数２）
L = F_to_L(Zm, Fc)
【００６９】
ズームレンズ位置Zm、合焦距離Lからフォーカスレンズ位置Fcを求める関数を以下の数３式で定義する。
【００７０】
（数３）
Fc = L_to_F(Zm, L)
【００７１】
このとき、ズームレンズ位置、フォーカスレンズ位置が共に始点であるときの合焦距離:L始点は以下の数４式で求められる。
【００７２】
（数４）
L始点 = f(Zm始点. Fc始点)
【００７３】
また、ズームレンズ位置、フォーカスレンズ位置が共に終点であるときの合焦距離:L終点は以下の数５式で求められる。
【００７４】
（数５）
L終点 = f(Zm終点, Fc終点)
【００７５】
遷移位置(0≦遷移位置≦1)がrの時、ズームレンズの遷移目標位置:Zm遷移、フォーカスレンズの遷移目標位置:Fc遷移は以下の数６式の計算で与えられる。
【００７６】
（数６）
Zm遷移 = Zm始点 + (Zm終点 - Zm始点)×r、
ここで、Fc始点_遷移 = L_to_F(Zm遷移, L始点)、
Fc終点_遷移 = L_to_F(Zm遷移, L終点)、
とした時
Fc遷移 = Fc始点_遷移+ (Fc終点_遷移- Fc始点_遷移)×r
【００７７】
図５は、遷移カーブ変換の動作を示す図である。
図５において、リニア遷移特性５６に基づいた送り制御ブロック４２からの制御目標（入力値）５７を、遷移カーブ変換ブロック４３にて遷移カーブ変換を行い、各ドライバブロック（ズーム、フォーカスなど）への制御目標（出力値）５９を生成することにより、任意の遷移カーブ６０を得る。
【００７８】
ここで、遷移カーブ変換ブロック４３における遷移カーブ変換の動作は、リニア遷移特性５６からｎ点のサンプリング点を決め、リニアから任意のカーブへの変換を行う。この際、隣接する２点間は直線補間で行う。
【００７９】
例えば、送り制御ブロック４２からの制御目標入力値Ｘ、各ドライバブロックへの制御目標出力値Ｙ、サンプリング点ｎ、リニア時の制御目標サンプリング値L(ｎ)、任意のカーブ時の制御目標サンプリング値A(ｎ)のとき、送り制御ブロック４２からの制御目標入力値Ｘが、L(Ｘ)≦Ｘ＜L(Ｘ＋１)の範囲に属しているとすると、遷移カーブ変換式は、以下の数７式で求められる。
【００８０】
（数７）
Ｙ＝A(Ｘ)＋（A(Ｘ＋１)−A(Ｘ)）×（Ｘ−L(Ｘ)）／（L(Ｘ＋１)−L(Ｘ)）
【００８１】
図６に撮影方向／範囲の移動手段の例を示す。
図６Ａに示したように、撮像装置６１自体を動かし、パンニング／チルティング装置６２を電動で行うパン／チルト台を用いる方法や、図６Ｂに示すように、レンズの移動６５や可変頂角プリズム６６により光学系の光軸を変化させる方法や、図６Ｃに示すように、イメージャ６７の一部分６８，６９を切り出す方法がある。後者の２つの例は、撮像装置の手ぶれ補正手段として使われることが多いものである。
【００８２】
図７にパン／チルト台を利用したパンニング／チルティングを示す。
通常はリモコンなどからのモード情報や点間遷移指示値入力７７を受け、インターフェース７５を介して制御マイコン７３の指示値駆動量変換部７６が信号発生装置７８を介して、パン／チルト装置７２に対する駆動を行うパン／チルト台駆動装置７９の駆動量に変換し、パン／チルトを行う。上述した「記憶した２点間以上を自動で遷移するモード」に入った場合は、その点間を遷移カーブに従って補間しつつパン／チルトを行う。
【００８３】
図８に手ぶれ補正と同様の手段を利用した撮影方向／範囲の移動を示す。図６の説明で述べたように、手ぶれ補正として用いられる手段と同様の方法で、撮影方向／範囲の変更が可能であるため、手ぶれ補正を含めて図示した。手ぶれ補正を行わない場合は、手ぶれ検出手段や手ぶれに対する補正量の算出は不必要となる。
【００８４】
上述した「記憶した２点間以上を自動で遷移するモード」に入った場合は、その点間を遷移カーブに従って光学補正手段８２の駆動量や、撮像素子８３であるイメージャ上の切り出し領域を計算し、撮像方向／領域の移動を行う。
【００８５】
その際、手ぶれ補正量に対して加算を行って移動を行えば、手ぶれ補正を行いつつ、点間の遷移も行うことができる。（もちろん、手ぶれ補正量を無視して、点間の遷移を行うことも可能である。）
【００８６】
図８に示す構成は、光学補正手段８２及び撮像素子８３を有する光学系８１、「手ぶれ検出部」であって、その一例として、角速度センサなどのぶれ検出手段８７、動きベクトル検出などのぶれ検出手段８６、信号処理部８４、カメラ制御マイコン（マイクロコンピュータ）８８、手ぶれ補正ブロック８９、光学補正手段駆動装置９７及び撮像素子駆動装置９８などを備えた構成となっている。
【００８７】
まず、カメラ制御マイコン８８の手ぶれ補正ブロック８９は、ぶれ検出手段８６、８７で検出した手ぶれによる像ぶれ量データを使用して、補正量（補正手段の移動量）を算出する。
【００８８】
カメラ制御マイコン８８の手ぶれ補正ブロック８９において、補正量演算部９２は、手ぶれ振動データを補正量（補正手段の移動量）に変換する。この際、９３で示すユーザーが選択するモード情報や点間遷移指示値にもとづいて必要に応じて補正／制限／変換を行い補正量（補正手段の移動量）を算出する。
【００８９】
なお、補正／制限／変換とは、補正手段の特性に応じた補正／制限（補正手段の移動量をズームの位置に応じて変化させることや、光学的な制約に応じて移動量制限を行うことや、周波数特性に応じた位相／利得の補正を行うことなど）や、検出されたぶれ量を補正手段による像移動量に変換することである。
一例を挙げると、得られた角速度のぶれ量を積分し、角度に変換し、さらにズーム位置に応じて像の移動量が変わる場合はそれを考慮して換算を行い、最終的な補正量（補正手段移動量）の算出を行う。
本実施例では、この段階において、補正量に対して点間遷移指示値を加算する、あるいは補正量を点間指示値と入れ替えることによって、パン／チルト効果を実現することが可能となるが、点間遷移指示値に関しても、補正手段に応じた補正／制限／変換を行う。このことにより点間遷移を指定された遷移カーブに従って行うことが可能となる。
【００９０】
この補正量は駆動手段への割り振り９４により、光学式補正の信号発生装置９５，電子式補正の信号発生装置９６に割り振られる。
【００９１】
続いて、光学補正手段駆動装置９７及び撮像素子駆動装置９８では、カメラ制御マイコン８８から送られてくる補正（補正手段の移動量）データに基づいて制御信号を生成し、この制御信号に基づいて光学系８１の光学補正手段８２を制御するか、又は撮像素子８３による画像信号の取り込みタイミングや画像信号の切り出し範囲（アドレス）を制御する。そして、信号処理部８４から送られてくる画像信号に所定の手ぶれ補正処理を施して次段の記録装置に送出する。
【００９２】
なお、上述した本発明の実施の形態に限らず、本発明の特許請求の範囲内であれば、適宜、他の構成をとりうることはいうまでも無い。
【図面の簡単な説明】
【００９３】
【図１】本発明の実施の形態の撮像装置の構成を示すブロック図である。
【図２】制御マイコンの遷移カーブ変換機能を示すブロック図である。
【図３】ホワイトバランス遷移処理の動作を示すフローチャートである。
【図４】ズームとフォーカスを同時に遷移させた場合の動作を示す図である。
【図５】遷移カーブ変換の動作を示す図である。
【図６】撮影方向／範囲の移動手段の例を示す図であり、図６Ａはパンニング／チルティング装置を用いる場合、図６Ｂは光学系の偏芯手段を用いる場合、図６Ｃは電子式並進切り出しを用いる場合を示す図である。
【図７】パンニング／チルティング装置を用いるパンニング／チルティングを示す図である。
【図８】手ぶれ補正を用いる撮影方向／範囲の移動を示す図である。
【符号の説明】
【００９４】
１…ズームレンズ、２…アイリス、３…フォーカスレンズ、４…撮像素子、５…タイミングジェネレータ(TG)、６…S/H回路、７… AGC(ゲインコントローラ）、８…A/Dコンバータ、９…信号処理ブロック、１０…ホワイトバランスアンプ、１１… ビデオγ回路、１２…色再現マトリクス、１３…アパーチャー回路、１４…記録メディア、１５…ＬＣＤディスプレイ、１６…VOUT（ビデオアウトプット）、１７…AFD、１８…OPD、１９…制御マイコン部、２１…露出制御目標値計算部、２２…露出制御補間部、２３…ホワイトバランス制御目標値計算部、２４…ホワイトバランス制御補間部、２５…色再現目標値計算部、２６…色再現制御補間部、２７…レンズ制御目標値計算部、２８…レンズ制御補間部、２９…PAN/TILT制御目標計算部、３０…PAN/TILT制御補間部、３１…メモリ／実行モード切りかえ部、３２…露出制御駆動指示部、３３…ホワイトバランス設定指示部、３４…色再現マトリクス設定指示部、３５…レンズ駆動指示部、３６…PAN/TILT駆動指示部、３７…制御値記憶ポジションＡボタン、３８…制御値記憶ポジションＢボタン、３９…遷移カーブ切り替えスイッチ、４０…マニュアルフォーカスリング、…ズーム４１リング、４２…送り制御部、４３…遷移カーブ変換部、４４…遷移カーブ選択部、４５，４６…ROMテーブル、４７…PAN/TILT入力部
【図１】
2006074401.tif 000003
【図２】
2006074401.tif 000004
【図３】
2006074401.tif 000005
【図４】
2006074401.tif 000006
【図５】
2006074401.tif 000007
【図６】
2006074401.tif 000008
【図７】
2006074401.tif 000009
【図８】
2006074401.tif 000010